(57)【要約】【課題】Ａ／Ｄ変換部を内蔵する回路に供給されるＡ／Ｄ変換用の基準電圧が回路に対する供給経路上でノイズ等の外乱の影響を受けて変動しても、その変動が反映された正しい基準電圧を監視する。【解決手段】内部電源１７ｂの接地コンデンサＣが接続されるマイコン１７の接地ポートをアナログ入力ポートＰ２に接続し、内部電源１７ｂが生成した動作用電源電圧Ｖｄｄをアナログ入力ポートＰ２に入力して、マイコン１７のＡ／Ｄ変換部１７ａでデジタル変換させる。デジタル変換後の動作用電源電圧Ｖｄｄの値（デジタル値）を、既知である動作用電源電圧Ｖｄｄの値と比較し、例えば、Ａ／Ｄ変換部１７ａによる動作用電源電圧Ｖｄｄのデジタル値の方が高ければ、基準電圧Ｖｒｅｆが正常値から低下したと認識する。【選択図】図６
2017204816.tif 000002
【特許請求の範囲】
【請求項１】
アナログ信号をデジタル変換するＡ／Ｄ変換部（１５ｄ（１７ａ））を内蔵する回路部（１５ｂ（１７））に供給されるＡ／Ｄ変換用の基準電圧（Ｖｒｅｆ）を監視する装置（１５ｂ（１７），２１）であって、
前記基準電圧（Ｖｒｅｆ）が入力され、集積回路（１５ｂ（１７），２１）に内蔵された内部電源（１７ｂ，２１ａ）が生成する動作用電源電圧（Ｖｄｄ）に基づいて、前記基準電圧（Ｖｒｅｆ）の電圧変動を検出する検出部（１５ｂ（１７），２１ｃ）を備える、
Ａ／Ｄ変換部（１５ｄ（１７ａ））の基準電圧監視装置（１５ｂ（１７），２１）。
【請求項２】
前記集積回路（２１）は、前記回路部（１７）に入力された前記基準電圧（Ｖｒｅｆ）と前記動作用電源電圧（Ｖｄｄ）との比較により前記検出部（２１ｃ）が検出した前記基準電圧（Ｖｒｅｆ）の電圧変動の検出結果を示す検出信号（Ｓ）を前記回路部（１５ｂ（１７））に出力する検出信号出力部（２１ｃ）を有しており、前記回路部（１５ｂ（１７））は、前記集積回路（２１）の前記検出信号出力部（２１ｃ）から入力される前記検出信号（Ｓ）に基づいて、前記回路部（１５ｂ（１７））に供給された前記基準電圧（Ｖｒｅｆ）の適否を判定する判定部（１５ｂ（１７））を有している請求項１記載のＡ／Ｄ変換部（１５ｄ（１７ａ））の基準電圧監視装置（１５ｂ（１７），２１）。
【請求項３】
前記集積回路（１５ｂ（１７））は前記回路部（１５ｂ（１７））を内蔵しており、前記動作用電源電圧（Ｖｄｄ）の前記Ａ／Ｄ変換部（１５ｄ（１７ａ））によるデジタル変換後の値に基づいて、前記回路部（１５ｂ（１７））に供給された前記基準電圧（Ｖｒｅｆ）の適否を判定する判定部（１５ｂ（１７））を有している請求項１記載のＡ／Ｄ変換部（１５ｄ（１７ａ））の基準電圧監視装置（１５ｂ（１７），２１）。
【請求項４】
吸入した気体が圧縮されるコンプレッサ（１）の圧縮機構（３）を回転させるモータ（５）を制御する制御装置（１５）において、
前記制御装置（１５）のアナログ信号をデジタル変換するＡ／Ｄ変換部を内蔵する回路部に供給されるＡ／Ｄ変換用の基準電圧を監視する装置として、請求項１、２又は３記載のＡ／Ｄ変換部（１５ｄ（１７ａ））の基準電圧監視装置（１５ｂ（１７），２１）が設けられている、
コンプレッサモータ制御装置（１５）。
【発明の詳細な説明】
【技術分野】
【０００１】
本発明は、Ａ／Ｄ変換部を内蔵する回路に供給されるＡ／Ｄ変換用の基準電圧を監視する装置に関する。
【背景技術】
【０００２】
マイクロコンピュータやＩＣ（集積回路）等の回路は、電源回路から供給される電源によって動作する。この電源電圧が変動すると、回路が正しく動作することができなくなる。
【０００３】
そこで、電源回路が出力した評価用電圧を回路のアナログ信号の入力ポートに入力させて、回路に内蔵したＡ／Ｄ変換部においてデジタル変換し、電源電圧が変動していない理想的な評価用電圧のデジタル値と、電源電圧が変動している可能性がある通常時の評価用電圧のデジタル値とを比較して、電源電圧の変動を検出する提案が過去に行われている。
【０００４】
この提案によれば、電源電圧の変動から回路を保護して、回路の正常な動作を保証することができる（例えば、特許文献１）。
【先行技術文献】
【特許文献】
【０００５】
【特許文献１】特開２０１１−２１４８９８号公報
【発明の概要】
【発明が解決しようとする課題】
【０００６】
ところで、回路に内蔵されたＡ／Ｄ変換部は、回路の外部から供給される基準電圧を基準にしてアナログ信号のアナログ値をデジタル値に変換する。この基準電圧が変動すると、Ａ／Ｄ変換部によるアナログ信号のデジタル変換後の値（デジタル値）に狂いが生じる。このようなデジタル値の狂いは、上述した過去の提案における電源電圧の変動検出の信頼性にも影響する。
【０００７】
本発明は前記事情に鑑みなされたもので、本発明の目的は、Ａ／Ｄ変換部を内蔵する回路に供給されるＡ／Ｄ変換用の基準電圧の変動を正しく監視することができるＡ／Ｄ変換部の基準電圧監視装置と、この装置を搭載して好適なコンプレッサモータ制御装置とを提供することにある。
【課題を解決するための手段】
【０００８】
上記目的を達成するため、本発明の１つの態様によるＡ／Ｄ変換部の基準電圧監視装置は、
アナログ信号をデジタル変換するＡ／Ｄ変換部を内蔵する回路部に供給されるＡ／Ｄ変換用の基準電圧を監視する装置であって、
前記基準電圧が入力され、集積回路に内蔵された内部電源が生成する動作用電源電圧に基づいて、前記基準電圧の電圧変動を検出する検出部を備える。
【０００９】
また、上記目的を達成するため、本発明の他の態様によるコンプレッサモータ制御装置は、
吸入した気体が圧縮されるコンプレッサの圧縮機構を回転させるモータを制御する制御装置において、
前記制御装置のアナログ信号をデジタル変換するＡ／Ｄ変換部を内蔵する回路部に供給されるＡ／Ｄ変換用の基準電圧を監視する装置として、請求項１、２又は３記載のＡ／Ｄ変換部の基準電圧監視装置が設けられている。
【発明の効果】
【００１０】
本発明によれば、Ａ／Ｄ変換部を内蔵する回路部に供給されるＡ／Ｄ変換用の基準電圧が回路部に対する供給経路上でノイズ等の外乱の影響を受けて変動しても、その変動が反映された正しい基準電圧を監視することができる。
【図面の簡単な説明】
【００１１】
【図１】本発明の一実施形態に係るコンプレッサモータ制御装置により制御される電動モータを搭載した電動コンプレッサを示す断面図である。
【図２】図１の電動コンプレッサの電気的構成を示す説明図である。
【図３】図２のモータ制御部に供給されるＡ／Ｄ変換用の基準電圧を監視する構成をレギュレータ内に設ける参考例の構成を模式的に示すブロック図である。
【図４】図２のモータ制御部に供給されるＡ／Ｄ変換用の基準電圧を監視する構成をレギュレータ内に設ける他の参考例の構成を模式的に示すブロック図である。
【図５】本発明の一実施形態に係るＡ／Ｄ変換部の基準電圧監視装置をレギュレータからマイコンへの基準電圧の供給経路上のフィルタ回路よりもマイコン側に配置した場合の構成を模式的に示すブロック図である。
【図６】本発明の他の実施形態に係るＡ／Ｄ変換部の基準電圧監視装置をマイコン内に設けた場合の構成を模式的に示すブロック図である。
【発明を実施するための形態】
【００１２】
以下、本発明の実施形態について図面を参照しながら説明する。図１は本発明の一実施形態に係るコンプレッサモータ制御装置により制御される電動モータを搭載した電動コンプレッサを示す断面図である。図１に示す本実施形態の電動コンプレッサ１は、回転式の圧縮機構３を電動モータ５で駆動して冷媒を圧縮するものである。
【００１３】
そして、電動コンプレッサ１（請求項中のコンプレッサに相当）は、圧縮機構３及び電動モータ５の他、これらが収容されるハウジング７、及び、コントローラ１５を有している。
【００１４】
圧縮機構３は、一対のサイドブロック３ａ，３ｂと、これらによって挟持されたシリンダブロック３ｃと、シリンダブロック３ｃの内部に形成された楕円形のシリンダ室３ｄに収容した円柱状のロータ３ｅとを有している。
【００１５】
ロータ３ｅは、サイドブロック３ａ，３ｂで軸受された電動モータ５の回転軸５ａに取り付けられている。ロータ３ｅの周面には複数のベーン溝（図示せず）が開口しており、各ベーン溝には、ロータ３ｅの周面から出没可能なベーン（図示せず）がそれぞれ支持されている。
【００１６】
ロータ３ｅが電動モータ５によりシリンダ室３ｄ内で回転されると、ロータ３ｅの各ベーンがシリンダ室３ｄの内周面に倣ってベーン溝から出没し、ロータ３ｅと隣り合う２つのベーンとシリンダ室３ｄとで構成される空間の容積が変化する。
【００１７】
そして、空間の容積が増加する間に、サイドブロック３ａに形成した吸入口（図示せず）を通じて低圧の冷媒が吸入され、吸入された冷媒が、空間の容積の減少に伴い圧縮される。圧縮された高圧の冷媒は、シリンダブロック３ｃの不図示の吐出ポートに設けた吐出弁（図示せず）を開弁させ、さらに、サイドブロック３ｂに形成した吐出口（図示せず）から吐出される。
【００１８】
電動モータ５（請求項中のモータに相当）は、例えば三相交流電動機であり、回転軸５ａに取り付けられたロータ５ｂと、ロータ５ｂの外側に配置されたステータ５ｃとを有している。ステータ５ｃは複数の極に対応したティース（図示せず）を有している。各ティースにはコイル５ｄがそれぞれ巻回されている。コイル５ｄは、各相毎に複数存在しており、本実施形態では、各相の複数のコイル５ｄが並列結線されている。勿論、各相のコイル５ｄは直列結線されていてもよい。
【００１９】
電動モータ５は、各コイル５ｄに所定のパターンで電圧を印加することでステータ５ｃに回転磁界を発生させることで、ロータ５ｂを回転させる。
【００２０】
ロータ５ｂは、本実施形態では、永久磁石を内部に埋め込んだ埋込磁石形（ＩＰＭ：Interior permanent Magnet ）のものを用いている。したがって、電動モータ５のモータトルクは、マグネットトルクとリラクタンストルクとを合成したものとなる。
【００２１】
一般に、ＩＰＭモータのマグネットトルクは余弦波（ｃｏｓ）波形で表され、電流位相＝０ｄｅｇにおいて最大値となる。リラクタンストルクは正弦波（ｓｉｎ）波形で表され、電流位相＝４５ｄｅｇにおいて最大値となる。したがって、電動モータ５のマグネットトルクとリラクタンストルクを合成したモータトルクは、電流位相＝０〜４５ｄｅｇの範囲において最大値となる。
【００２２】
ハウジング７は、一端が閉塞された円筒状を呈している。このハウジング７には圧縮機構３が収容されており、収容された圧縮機構３によりハウジング７の内部は、サイドブロック３ｂが露出する閉塞側の密閉された吐出室７ａと、サイドブロック３ａが露出する開口側の吸入室７ｂとに仕切られている。吸入室７ｂには電動モータ５が収容されており、吸入室７ｂは、ハウジング７の開口７ｃに取り付けた蓋部９によって密閉されている。
【００２３】
上述した吸入室７ｂは、圧縮機構３によって圧縮する低温低圧の冷媒が、電動コンプレッサ１の外部（例えば、冷凍サイクルの蒸発器）から不図示の吸入ポートを介して吸入される空間である。
【００２４】
また、圧縮機構３によって吸入室７ｂと気密に仕切られた吐出室７ａは、圧縮機構３によって圧縮された高温高圧の冷媒を、不図示の吐出ポートを介して電動コンプレッサ１の外部（例えば、冷凍サイクルの凝縮器）に吐出する空間である。
【００２５】
図２は、電動コンプレッサ１の電気的構成を示す説明図である。図２に示すように、コントローラ１５（請求項中のコンプレッサモータ制御装置に相当）は、インバータ回路１５ａとモータ制御部１５ｂとを有している。
【００２６】
インバータ回路１５ａは、強電系（例えば、電源電圧＝３４５Ｖ）の直流電源１１の電力を交流に変換して電動モータ５のステータ５ｃのＵ，Ｖ，Ｗ各相のコイル５ｄに供給するものである。そして、インバータ回路１５ａは、各相のコイル５ｄに対応する上アーム及び下アームの電力用スイッチング素子として、ＩＧＢＴ（Insulated Gate Bipolar Transistor 、絶縁ゲートバイポーラトランジスタ）Ｑ１〜Ｑ６を有している。
【００２７】
なお、ＩＧＢＴＱ１〜Ｑ６は、ＭＯＳＦＥＴ（Metal Oxide Semiconductor Field Effect Transistor 、電界効果トランジスタ）等のパワートランジスタに置き換えてもよい。
【００２８】
モータ制御部１５ｂ（請求項中の回路部、基準電圧監視装置に相当）は、電動モータ５のステータ５ｃに回転磁界を発生させるための所定のパターンによる各コイル５ｄへの電圧印加を制御するもので、例えば、マイクロコンピュータによって構成される。モータ制御部１５ｂは、各種データやテーブル、制御に利用する式等を記憶するメモリ１５ｃを有している。
【００２９】
モータ制御部１５ｂには、電動モータ５に発生する誘起電圧が入力されるアナログ入力ポートＰ１や、アナログ入力ポートＰ１に入力されたアナログ信号をデジタル変換するＡ／Ｄ変換部１５ｄ等を有している。アナログ入力ポートＰ１に入力される誘起電圧のアナログ信号は、モータ制御部１５ｂが電動モータ９の実回転速度（実回転数）を算出して電動モータ９の制御上の指令速度を決定するために利用される。
【００３０】
モータ制御部１５ｂは、内部電源１５ｅが生成する動作用電源電圧Ｖｄｄによって動作する。内部電源１５ｅの動作用電源電圧Ｖｄｄは、レギュレータ１３が生成した定電圧の電源電圧Ｖｃｃ（例えば５Ｖ）から生成される。レギュレータ１３の電源電圧Ｖｃｃは、弱電系（例えば、電源電圧＝１２Ｖ）の直流電源１２から供給される電源電圧から生成される。また、Ａ／Ｄ変換部１５ｄは、レギュレータ１３から供給される基準電圧Ｖｒｅｆを基準にしてアナログ信号のアナログ値をデジタル値に変換する。
【００３１】
ところで、レギュレータ１３が出力する基準電圧Ｖｒｅｆは、負荷変動やノイズの影響等によって本来の値から変動する場合がある。基準電圧Ｖｒｅｆが変動すると、Ａ／Ｄ変換部によるアナログ信号のデジタル変換後の値（デジタル値）に狂いが生じる。このため、基準電圧Ｖｒｅｆが変動した場合に適切な対処が取れるように、基準電圧Ｖｒｅｆを監視することが重要となる。
【００３２】
これを実現する参考例の構成を、図３及び図４のブロック図を参照して説明する。まず、図３及び図４は、モータ制御部１５ｂに供給されるＡ／Ｄ変換用の基準電圧Ｖｒｅｆを監視する構成をレギュレータ１３内に設ける場合の構成を模式的に示すブロック図である。なお、図３及び図４では、モータ制御部１５ｂを一般化して、モータ制御部１５ｂを構成するハードウェアとしてのマイクロコンピュータ（マイコン）１７と図示している。
【００３３】
そして、図３に示すように、レギュレータ１３内に設ける基準電圧Ｖｒｅｆの監視のための構成は、レギュレータ１３に内蔵されてレギュレータ１３の動作用電源電圧Ｖｄｄを生成する内部電源１３ａと、マイコン１７のＡ／Ｄ変換部１７ａ用の基準電圧Ｖｒｅｆを分圧する分圧抵抗１３ｂと、内部電源１３ａの動作用電源電圧Ｖｄｄを基準電圧Ｖｒｅｆの分圧抵抗１３ｂによる分圧後の電圧と比較する比較器１３ｃとを含んで構成される。
【００３４】
比較器１３ｃは、例えば、基準電圧Ｖｒｅｆの分圧抵抗１３ｂによる分圧後の電圧が内部電源１３ａの動作用電源電圧Ｖｄｄを下回ると、マイコン１７に出力する出力電圧検出信号Ｓの信号レベルを反転させて、基準電圧Ｖｒｅｆが正常値から低下したことをマイコン１７に通知する。
【００３５】
このようなレギュレータ１３内の構成で基準電圧Ｖｒｅｆを監視すれば、基準電圧Ｖｒｅｆが正常値から変動したときに、その旨を比較器１３ｃからの出力電圧検出信号Ｓによりマイコン１７に認識させ、Ａ／Ｄ変換部１７ａによるＡ／Ｄ変換結果（デジタル値）を補正させたり、Ａ／Ｄ変換部１７ａによるＡ／Ｄ変換自体を停止させる等の適切な対処を、マイコン１７に実施させることができる。
【００３６】
但し、レギュレータ１３内で基準電圧Ｖｒｅｆを監視する図３のような構成では、レギュレータ１３から出力された基準電圧Ｖｒｅｆがマイコン１７への供給経路上でノイズ等の外乱の影響を受けて変動した場合に、レギュレータ１３が出力する基準電圧Ｖｒｅｆには変動が生じないので、マイコン１７に供給される基準電圧Ｖｒｅｆの変動を正しく検出することができない。
【００３７】
また、上述したノイズ等への対策として、図４に示すように、レギュレータ１３からマイコン１７への基準電圧Ｖｒｅｆの供給経路上にフィルタ回路１９を設ける場合は、フィルタ回路１９でフィルタリングされた後の基準電圧Ｖｒｅｆをレギュレータ１３内の構成で監視することが最早できなくなる。
【００３８】
しかも、基準電圧Ｖｒｅｆを監視するための構成をレギュレータ１３に内蔵させるとなると、レギュレータ１３を特殊な構成の高価なものとしなければならなくなる。
【００３９】
そこで、本実施形態では、基準電圧監視装置を、レギュレータ１３内ではなく、基準電圧Ｖｒｅｆが入力されるマイコン１７の直前に設けることとした。以下、そのように構成した本発明の一実施形態に係る基準電圧監視装置を、図５のブロック図を参照して説明する。
【００４０】
図５に模式的に示すように、本実施形態では、基準電圧監視装置を、レギュレータ１３からマイコン１７への基準電圧Ｖｒｅｆの供給経路上における、フィルタ回路１９とマイコン１７との間に設けた電圧検知回路２１によって構成している。
【００４１】
電圧検知回路２１は、集積回路によって構成されるもので、レギュレータ１３内に設けた基準電圧Ｖｒｅｆを監視するための構成と同様に、電圧検知回路２１に内蔵された内部電源２１ａ、分圧抵抗２１ｂ及び比較器２１ｃを有している。
【００４２】
内部電源２１ａは、電圧検知回路２１の動作用電源電圧Ｖｄｄを生成し、分圧抵抗２１ｂは、フィルタ回路１９からマイコン１７に供給される基準電圧Ｖｒｅｆを分圧し、比較器２１ｃは、内部電源２１ａの動作用電源電圧Ｖｄｄを基準電圧Ｖｒｅｆの分圧抵抗２１ｂによる分圧後の電圧（請求項中の基準電圧の入力電圧に相当）と比較する。
【００４３】
比較器２１ｃは、例えば、基準電圧Ｖｒｅｆの分圧抵抗２１ｂによる分圧後の電圧が内部電源２１ａの動作用電源電圧Ｖｄｄを下回ると、マイコン１７に出力する出力電圧検出信号Ｓの信号レベルを反転させて、基準電圧Ｖｒｅｆが正常値から低下したことをマイコン１７に通知する。
【００４４】
このような構成の電圧検知回路２１によれば、レギュレータ１３からマイコン１７への基準電圧Ｖｒｅｆの供給経路上にフィルタ回路１９が設けられていても、フィルタ回路１９からマイコン１７に実際に供給される基準電圧Ｖｒｅｆを監視することができる。
【００４５】
このため、フィルタ回路１９からマイコン１７に実際に供給される基準電圧Ｖｒｅｆが正常値から変動したときに、その旨を比較器２１ｃからの出力電圧検出信号Ｓによりマイコン１７に認識させ、マイコン１７内でのＡ／Ｄ変換部１７ａの結果を補正させたりＡ／Ｄ変換自体を停止させる等の適切な対処を、マイコン１７に実施させることができる。
【００４６】
なお、上述した電圧検知回路２１では、基準電圧Ｖｒｅｆが正常値であることを比較器２１ｃの出力で判定するために、内部電源２１ａの動作用電源電圧Ｖｄｄを利用している。これは、電圧検知回路２１を動作させるのに使用する動作用電源電圧Ｖｄｄが、接地コンデンサＣによりノイズ成分を除去した定電圧性の高い電源電圧だからである。
【００４７】
このような内部電源は、図２に示すモータ制御部１５ｂにも、内部電源１５ｅとして内蔵されている。即ち、モータ制御部１５ｂして示した図３及び図４のマイコン１７にも、内部電源１７ｂが内蔵されている。図２では図示を省略しているが、これらの内部電源１５ｅ，１７ｂが生成する動作用電源電圧Ｖｄｄも、接地コンデンサＣによりノイズ成分を除去した定電圧性の高い電源電圧である。
【００４８】
そこで、マイコン１７の内部電源１７ｂ（モータ制御部１５ｂの内部電源１５ｅ）が生成する動作用電源電圧Ｖｄｄを利用して、フィルタ回路１９からマイコン１７に実際に供給される基準電圧Ｖｒｅｆを監視することもできる。以下、そのように構成した本発明の他の実施形態に係る基準電圧監視装置を、図６のブロック図を参照して説明する。
【００４９】
図６に模式的に示すように、本実施形態では、電圧検知回路２１を省略し、その代わりに、基準電圧監視装置をマイコン１７の内部で構成している。そのために、内部電源１７ｂの接地コンデンサＣが接続されるマイコン１７の接地ポートを、アナログ入力ポートＰ２に接続している。
【００５０】
内部電源１７ｂが生成した動作用電源電圧Ｖｄｄは、アナログ入力ポートＰ２に入力された後、マイコン１７のＡ／Ｄ変換部１７ａでデジタル変換される。マイコン１７は、デジタル変換後の動作用電源電圧Ｖｄｄの値（デジタル値）を、既知である動作用電源電圧Ｖｄｄの値と比較する。そして、マイコン１７は、例えば、Ａ／Ｄ変換部１７ａによる動作用電源電圧Ｖｄｄのデジタル値の方が高ければ、基準電圧Ｖｒｅｆが正常値から低下したことを認識する。
【００５１】
このような構成でも、レギュレータ１３からマイコン１７への基準電圧Ｖｒｅｆの供給経路上に設けられたフィルタ回路１９からマイコン１７に実際に供給される基準電圧Ｖｒｅｆを、監視することができる。
【００５２】
このため、フィルタ回路１９からマイコン１７に実際に供給される基準電圧Ｖｒｅｆが正常値から変動したときに、その旨をマイコン１７に認識させ、Ａ／Ｄ変換部１７ａの結果を補正させたりＡ／Ｄ変換自体を停止させる等の適切な対処を、マイコン１７に実施させることができる。
【００５３】
なお、上述した実施形態では、図２の電動モータ５を制御するコントローラ１５のＡ／Ｄ変換部１５ｂを内蔵するモータ制御部１５ｂ（図５及び図６のマイコン１７）とフィルタ回路１９との間や、マイコン１７自体の内部に、本発明の実施形態に係る基準電圧監視装置を設ける場合について説明した。
【００５４】
しかし、本発明は、電動コンプレッサ１の電動モータ５を制御するコントローラ１５のＡ／Ｄ変換部１５ｂを内蔵するモータ制御部１５ｂに限らず、外部から供給される基準電圧を基準にＡ／Ｄ変換を行うＡ／Ｄ変換部を内蔵する回路部に、広く適用可能である。
【００５５】
また、上述した実施形態では、動作用電源電圧Ｖｄｄを生成する内部電源１７ｂ，２１ａを内蔵する集積回路（マイコン１７、電圧検知回路２１）に、Ａ／Ｄ変換部１５ｄ，１７ａを内蔵する回路部（モータ制御部、マイコン１７）に供給される基準電圧Ｖｒｅｆの変動を動作用電源電圧Ｖｄｄを用いて検出する構成が設けられている場合について説明した。
【００５６】
しかし、Ａ／Ｄ変換部１５ｄ，１７ａを内蔵した回路部（モータ制御部、マイコン１７）に供給する基準電圧Ｖｒｅｆが入力される別の回路の検出部が、その回路とは別の集積回路に設けられた内部電源が生成する動作用電源電圧Ｖｄｄを用いて基準電圧Ｖｒｅｆの変動を検出する構成としてもよい。
【産業上の利用可能性】
【００５７】
本発明は、外部から供給される基準電圧を基準にＡ／Ｄ変換を行うＡ／Ｄ変換部を内蔵する回路部において利用することができる。
【符号の説明】
【００５８】
１  電動コンプレッサ（コンプレッサ）
３  圧縮機構
３ａ，３ｂ  サイドブロック
３ｃ  シリンダブロック
３ｄ  シリンダ室
３ｅ  ロータ
５  電動モータ（モータ）
５ａ  回転軸
５ｂ  ロータ
５ｃ  ステータ
５ｄ  コイル
７  ハウジング
７ａ  吐出室
７ｂ  吸入室
７ｃ  開口
９    蓋部
１１  強電系の直流電源
１２  弱電系の直流電源
１３  レギュレータ
１３ａ，１５ｅ  内部電源
１３ｂ，２１ｂ  分圧抵抗
１３ｃ  比較器
１５  コントローラ（コンプレッサモータ制御装置）
１５ａ  インバータ回路
１５ｂ  モータ制御部（回路部、集積回路、検出部、判定部、基準電圧監視装置）
１５ｃ  メモリ
１５ｄ，１７ａ  Ａ／Ｄ変換部
１７  マイクロコンピュータ（回路部、集積回路、検出部、判定部、基準電圧監視装置）
１７ｂ，２１ａ  内部電源（集積回路の内部電源）
１９  フィルタ回路
２１  電圧検知回路（集積回路）
２１ｃ  比較器（検出部、検出信号出力部）
Ｃ  接地コンデンサ
Ｐ１．Ｐ２  アナログ入力ポート
Ｖｃｃ  電源電圧
Ｖｄｄ  動作用電源電圧
Ｖｒｅｆ  基準電圧
Ｑ１〜Ｑ６  ＩＧＢＴ（絶縁ゲートバイポーラトランジスタ）
Ｓ  出力電圧検出信号（検出信号）
【図１】
2017204816.tif 000003
【図２】
2017204816.tif 000004
【図３】
2017204816.tif 000005
【図４】
2017204816.tif 000006
【図５】
2017204816.tif 000007
【図６】
2017204816.tif 000008